(57)【要約】【課題】操作パネル上のある重要度の高いスイッチが故障した場合でも、故障したスイッチのスイッチ機能を他の重要度の低いスイッチに代替させることができるスイッチ装置を提供する。【解決手段】複数のスイッチのうちから設定した、重要度の高いスイッチ機能を有する第１スイッチ（ＤＥＦスイッチ１２）と、各スイッチのうちから設定した、重要度の低いスイッチ機能を有する第２スイッチ（ＳＯＵＮＤスイッチ８）と、各スイッチのうちから故障したスイッチを検出すると共に、検出した故障スイッチが第１スイッチであるか否かを判断する故障検出・判断部１５と、故障検出・判断部１５で、故障スイッチが第１スイッチであると判断した場合に、第１スイッチのスイッチ機能を第２スイッチで代替させるように第２スイッチのスイッチ機能を制御する表示・機能切替部１６を備えている。【選択図】図１
2010157362.tif 000002
【特許請求の範囲】
【請求項１】
パネル上に設置された、それぞれ所定のスイッチ機能を有する複数のスイッチと、
前記各スイッチのうちから設定した、重要度の高いスイッチ機能を有する第１スイッチと、
前記各スイッチのうちから設定した、重要度の低いスイッチ機能を有する第２スイッチと、
前記各スイッチのうちから故障したスイッチを検出すると共に、検出した故障スイッチが前記第１スイッチであるか否かを判断する故障検出・判断手段と、
前記故障検出・判断手段で、前記故障スイッチが前記第１スイッチであると判断した場合に、前記第１スイッチのスイッチ機能を前記第２スイッチで代替させるように前記第２スイッチのスイッチ機能を制御する制御手段と、を備えたことを特徴とするスイッチ装置。
【請求項２】
前記第２スイッチには、該第２スイッチに対応した表示意匠及び前記第１スイッチに対応した表示意匠を切替えて表示可能な表示構造を有し、前記第１スイッチが故障して該第１スイッチのスイッチ機能を前記第２スイッチで代替させるように制御されると、前記第２スイッチのスイッチ操作時に該第２スイッチに前記第１スイッチに対応した表示意匠が表示されることを特徴とする請求項１に記載のスイッチ装置。
【発明の詳細な説明】
【技術分野】
【０００１】
本発明は、例えば、車両の空調装置やオーディオ装置などの操作パネル上に設置される複数のスイッチのスイッチ機能を制御可能なスイッチ装置に関する。
【背景技術】
【０００２】
車両のインストルメントパネルには、空調装置（エアコン）などの操作パネルが配置されており、この操作パネルには空気吹出口の切り替えを行うスイッチやエアコン（Ａ／Ｃ）のＯＮ／ＯＦＦを行うスイッチなどが設けられている（例えば、特許文献１参照）。これらのスイッチは、押圧操作等によって所定のスイッチをＯＮすると、このＯＮされたスイッチの表示面が透過照明されて、ＯＮされたスイッチのスイッチ機能に対応した動作が行われる。
【特許文献１】特開２００２−３１０７８号公報
【発明の開示】
【発明が解決しようとする課題】
【０００３】
ところで、車両用空調装置の操作パネル上に設けられている複数のスイッチのうちの、例えば、重要度の高いＤＥＦスイッチにスイッチ接点不良（例えば、接点ショート）等が生じた場合には、エアコン（Ａ／Ｃ）スイッチをＯＮしてもＤＥＦ機能（雨天時等でのフロントガラスの曇り防止機能）が作動しなくなってしまう。このように、複数のスイッチのうちの重要度の高いＤＥＦスイッチなどが故障すると、乗員に対して不快な車室内環境となってしまうことがある。
【０００４】
そこで、本発明は、操作パネル上のある重要度の高いスイッチが故障した場合でも、故障したスイッチのスイッチ機能を他の重要度の低いスイッチに代替させることができるスイッチ装置を提供することを目的とする。
【課題を解決するための手段】
【０００５】
前記目的を達成するために請求項１に係る本発明のスイッチ装置は、パネル上に設置された、それぞれ所定のスイッチ機能を有する複数のスイッチと、前記各スイッチのうちから設定した、重要度の高いスイッチ機能を有する第１スイッチと、前記各スイッチのうちから設定した、重要度の低いスイッチ機能を有する第２スイッチと、前記各スイッチのうちから故障したスイッチを検出すると共に、検出した故障スイッチが前記第１スイッチであるか否かを判断する故障検出・判断手段と、前記故障検出・判断手段で、前記故障スイッチが前記第１スイッチであると判断した場合に、前記第１スイッチのスイッチ機能を前記第２スイッチで代替させるように前記第２スイッチのスイッチ機能を制御する制御手段と、を備えたことを特徴としている。
【０００６】
請求項２に係る本発明のスイッチ装置は、前記第２スイッチには、該第２スイッチに対応した表示意匠及び前記第１スイッチに対応した表示意匠を切替えて表示可能な表示構造を有し、前記第１スイッチが故障して該第１スイッチのスイッチ機能を前記第２スイッチで代替させるように制御されると、前記第２スイッチのスイッチ操作時に該第２スイッチに前記第１スイッチに対応した表示意匠が表示されることを特徴としている。
【発明の効果】
【０００７】
請求項１に係る本発明のスイッチ装置によれば、重要度の高い第１スイッチが故障した場合でも、重要度が低い第２スイッチに第１スイッチのスイッチ機能を割当てて、第１スイッチのスイッチ機能に応じた信号を出力することが可能となる。
【０００８】
また、請求項２係る本発明のスイッチ装置によれば、重要度の高い第１スイッチが故障した場合に第２スイッチをスイッチ操作すると、第２スイッチに第１スイッチに対応した表示意匠を表示させることができるので、操作者に第２スイッチが第１スイッチのスイッチ機能に切替えられたことを視認させることができる。
【発明を実施するための最良の形態】
【０００９】
以下、本発明を図示の実施形態に基づいて説明する。図１は、本発明の実施形態に係るスイッチ装置を示す概略構成図である。
【００１０】
図１に示すように、本実施形態に係るスイッチ装置１は、車両（自動車）のインストルメントパネルに設置される表示パネル２に設けたオーディオ用操作スイッチ３及び空調用操作スイッチ４と、スイッチ制御部５を備えている。この表示パネル２には、複数のオーディオ用操作スイッチ３と空調用操作スイッチ４が近接するようにして一体に配置されており、表示パネル２の背面側には、不図示のオーディオ用の駆動部、制御部、電源部及び空調用の駆動部、制御部、電源部等が設けられている。
【００１１】
オーディオ用操作スイッチ３としては、本実施形態では、音量を調整する音量操作スイッチ６、ＣＤやＦＭなどの入力を切替える入力切替操作スイッチ７ａ，７ｂ、イコライザーなどの音質を調整するＳＯＵＮＤ（サウンド）スイッチ８などが設けられている。
【００１２】
空調用操作スイッチ４としては、本実施形態では、エアコン（Ａ／Ｃ）のＯＮ／ＯＦＦを操作するエアコン（Ａ／Ｃ）スイッチ９、車室内が設定温度になるように空気吹出量等を自動調整するＡＵＴＯ（オート）スイッチ１０、ＡＵＴＯスイッチ１０による自動調整制御をＯＦＦ操作するＯＦＦスイッチ１１、ＤＥＦ機能に設定するＤＥＦスイッチ１２、ブロアファン（不図示）の回転による空気吹出量を調整するファンスイッチ１３、複数の空気吹出口モードを切替えるＭＯＤＥ（モード）スイッチ１４などが設けられている。
【００１３】
なお、ＤＥＦスイッチ１２の押圧スイッチ操作で作動するＤＥＦ機能は、エアコン（Ａ／Ｃ）作動時に雨天時等においてフロントガラスの曇りを防止するための機能である。
【００１４】
スイッチ制御部５は、オーディオ用操作スイッチ３と空調用操作スイッチ４の各スイッチのスイッチ接点等の不良などに起因する故障を検出し、故障スイッチが予め設定している重要度の高いスイッチ（本実施形態では、ＤＥＦスイッチ１２）か否かを判断する故障検出・判断部１５と、故障検出・判断部１５で故障スイッチが重要スイッチであると判断した場合に、この故障スイッチの表示とスイッチ機能を予め設定している重要度の低いスイッチ（本実施形態では、ＳＯＵＮＤスイッチ８）で代替させるように制御する表示・機能切替部１６を有している。
【００１５】
ＳＯＵＮＤスイッチ８は、図２に示すように、基板２０上にそれぞれ波長の異なる光を発する第１、第２光源２１，２２を有し、第１、第２光源２１，２２の前方側（図２の上側）には、透光性シート２３と、その前面に所定の透光性を有するスモークレンズ２４が設けられている。透光性シート２３には、第１光源２１の光の波長のみを透過させる第１印刷部分（本実施形態では、図３（ａ）に示す「ＳＯＵＮＤ」の文字）と、第２光源２２の光の波長のみを透過させる第２印刷部分（本実施形態では、図３（ｂ）に示す「ＤＥＦ」の文字）が形成されている。第１光源２１は、例えば赤色の光を発する赤色発光ＬＥＤであり、第２光源２２は、例えば青色の光を発する青色発光ＬＥＤである。
【００１６】
ＳＯＵＮＤスイッチ８においては、第１光源２１が発光したときは透光性シート２３上の前記「ＳＯＵＮＤ」の文字（図３（ａ）参照）が透過照明されて表示され、第２光源２２が発光したときは透光性シート２３上の前記「ＤＥＦ」の文字（図３（ｂ）参照）が透過照明されて表示されるように構成されている。第１、第２光源２１，２２の発光の切替えによって異なる２つの文字を切替えて表示する技術としては、例えば特開２００５−２４１７５９号公報に開示されている。
【００１７】
基板２０と第１、第２光源２１，２２の間には、ＳＯＵＮＤスイッチ８のスモークレンズ２４側からの押圧操作によってスライドするスライダ２５の移動に応じてＯＮ／ＯＦＦされるタクトスイッチ２６が配置されている。透光性シート２３、スモークレンズ２４、スライダ２５は、スイッチ枠体２７の内面に沿って一体に移動可能に設置されている。
【００１８】
このＳＯＵＮＤスイッチ８は、通常（正常）時には押圧操作によってタクトスイッチ２６のＯＮと共に、第１光源２１が発光して透光性シート２３上の「ＳＯＵＮＤ」を透過照明して表示し、オーディオのイコライザーなどの音質を調整操作することができる。
【００１９】
そして、本実施形態では、空調用操作スイッチ４のＤＥＦスイッチ１２のスイッチ接点等の不良によりＤＥＦスイッチ１２が故障（空調装置のＤＥＦ機能は故障していない）した場合には、スイッチ制御部５（故障検出・判断部１５、表示・機能切替部１６）によるスイッチ制御によってＳＯＵＮＤスイッチ８にＤＥＦスイッチ１２のスイッチ機能を代替させ、かつＳＯＵＮＤスイッチ８の押圧操作によってタクトスイッチ２６のＯＮと共に、第２光源２２を発光させて「ＤＥＦ」の文字を透過照明して表示するようにした（詳細は後述する）。
【００２０】
即ち、ＳＯＵＮＤスイッチ８は、オーディオ用操作スイッチ３の中では重要度の低いスイッチであるが、ＤＥＦスイッチ１２は、空調用操作スイッチ４の中では重要度の高いスイッチである（ＤＥＦスイッチ１２が故障すると、エアコン（Ａ／Ｃ）スイッチ９をＯＮしてもＤＥＦ機能（雨天時等でのフロントガラスの曇り防止機能）が作動しなくなる。このため、本実施形態では、重要度の高いＤＥＦスイッチ１２が故障した場合に、ＳＯＵＮＤスイッチ８の本来の機能を停止させて、ＳＯＵＮＤスイッチ８にＤＥＦスイッチ１２のスイッチ機能を代替させるものである。
【００２１】
以下、本実施形態に係るスイッチ装置１のスイッチ制御部５によるスイッチ制御動作を、図４に示したフローチャートを参照して説明する。
【００２２】
オーディオ用操作スイッチ３と空調用操作スイッチ４のいずれかのスイッチの押圧操作（ＯＮ）を解除した後でも、この押圧操作（ＯＮ）を解除したスイッチにスイッチ接点不良等が発生してスイッチ接点が閉状態になるとＯＮ信号が一定時間出力される。この際、故障検出・判断部１５は、前記ＯＮ信号の一定時間の入力によりいずれかのスイッチがショート状態であることを検出する（ステップＳ１）。
【００２３】
そして、故障検出・判断部１５は、入力された前記ＯＮ信号に基づいて、オーディオ用操作スイッチ３と空調用操作スイッチ４の各スイッチに対してどのスイッチが故障しているかを判断し（ステップＳ２）、重要度が高いスイッチとして予め設定しているＤＥＦスイッチ１２が故障していると判断した場合（ステップＳ２：ＹＥＳ）、表示・機能切替部１６は、重要度が低いスイッチとして予め設定しているＳＯＵＮＤスイッチ８にＤＥＦスイッチ１２のスイッチ機能を割当てるように制御する（ステップＳ３）。
【００２４】
そして、ＳＯＵＮＤスイッチ８が押圧スイッチ操作（ＯＮ）されると、表示・機能切替部１６の制御により、前記したように第２光源２２が発光して、「ＤＥＦ」の文字（図３（ｂ）参照）が透過照明によって表示される（ステップＳ４）。更に、ＳＯＵＮＤスイッチ８の押圧スイッチ操作（ＯＮ）によりＤＥＦスイッチ１２のスイッチ機能に応じた信号が空調制御部（不図示）に出力され（ステップＳ５）、エアコン（Ａ／Ｃ）スイッチ９のＯＮ時にＤＥＦ機能が作動する。
【００２５】
このように、本実施形態のスイッチ装置１によれば、スイッチ制御部５（故障検出・判断部１５、表示・機能切替部１６）によるスイッチ制御動作より、重要度の高いＤＥＦスイッチ１２が故障した場合でも、重要度が低いＳＯＵＮＤスイッチ８にＤＥＦスイッチ１２のスイッチ機能を割当てて、ＳＯＵＮＤスイッチ８からＤＥＦスイッチ１２のスイッチ機能に応じた信号を空調制御部（不図示）に出力することが可能となる。
【００２６】
更に、このときにＳＯＵＮＤスイッチ８に「ＤＥＦ」の文字が透過照明によって表示されるので、ＳＯＵＮＤスイッチ８がＤＥＦスイッチとしてスイッチ機能していることを乗員に視認させることができる。
【００２７】
前記実施形態では、重要度の高いＤＥＦスイッチ１２が故障した場合に重要度が低いＳＯＵＮＤスイッチ８にＤＥＦスイッチ１２のスイッチ機能を割当てて、ＳＯＵＮＤスイッチ８の本来のスイッチ機能を停止させる構成であったが、このような構成以外にも、ＳＯＵＮＤスイッチ８にＤＥＦスイッチ１２のスイッチ機能を割当てると共に、ＳＯＵＮＤスイッチ８の本来のスイッチ機能も同時に保持する構成も可能である。
【００２８】
この場合は、例えば、ＳＯＵＮＤスイッチ８を通常通り押圧スイッチ操作するとＳＯＵＮＤスイッチ８の本来のスイッチ機能として動作し、ＳＯＵＮＤスイッチ８を所定時間以上長押しスイッチ操作した場合に、ＤＥＦスイッチ１２のスイッチ機能が割当てられるように制御する。これにより、ＤＥＦスイッチ１２が故障した場合に、ＳＯＵＮＤスイッチ８は本来のスイッチ機能を有した状態で、ＤＥＦスイッチ１２の代替スイッチとしてスイッチ機能させることができる。
【００２９】
なお、前記実施形態では、重要度が高いスイッチとして空調用操作スイッチ４のうちのＤＥＦスイッチ１２を設定し、重要度が低いスイッチとしてオーディオ用操作スイッチ３のうちのＳＯＵＮＤスイッチ８を設定した構成であったが、重要度が高いスイッチと重要度が低いスイッチの設定は、これ以外の組み合わせを任意に設定してもよい。
【図面の簡単な説明】
【００３０】
【図１】本発明の実施形態に係るスイッチ装置を示す概略構成図。
【図２】本発明の実施形態に係るスイッチ装置のＳＯＵＮＤスイッチを示す概略断面図。
【図３】（ａ）は、ＳＯＵＮＤスイッチの表示面に「ＳＯＵＮＤ」が表示された状態を示す図、（ｂ）は、ＳＯＵＮＤスイッチの表示面に「ＤＥＦ」が表示された状態を示す図。
【図４】本発明の実施形態に係るスイッチ装置のスイッチ制御部によるスイッチ制御動作を示したフローチャート。
【符号の説明】
【００３１】
１        スイッチ装置
２        表示パネル
３        オーディオ用操作スイッチ
４        空調用操作スイッチ
５        スイッチ制御部
８        ＳＯＵＮＤスイッチ（第２スイッチ）
１２      ＤＥＦスイッチ（第１スイッチ）
１５      故障検出・判断部
１６      表示・機能切替部
【図１】
2010157362.tif 000003
【図２】
2010157362.tif 000004
【図３】
2010157362.tif 000005
【図４】
2010157362.tif 000006